(57)【要約】【課題】塗装された部材に取り付けられるナットであって、塗膜屑を発生させることなく、塗装された部材との間の電気的な導通を確保することが可能なナットを提供する。【解決手段】塗装を施した部材Ａに設けられた取付穴または取付溝に挿通されるネジに装着されるナットであって、タップ穴１が開口した少なくとも一方の面に突起部２aを有し、この突起部２aを有する面を部材Ａに対向させた状態で、タップ穴１にネジを締め込むことにより、前記突起部２aの先端が部材Ａの塗膜を突き破り、部材Ａとの間で電気的に導通可能な状態となるようにした。突起部２aの先端は部材Ａに圧接して塗膜を突き破るだけであるため、塗膜屑は殆ど生じない。【選択図】図４
2012052631.tif 000002
【特許請求の範囲】
【請求項１】
塗装を施した部材（Ａ）に設けられた取付穴または取付溝に挿通されるネジに装着されるナットであって、
タップ穴（１）が開口した少なくとも一方の面に突起部（２a）を有し、該突起部（２a）を有する面を部材（Ａ）に対向させた状態で、タップ穴（１）にネジを締め込むことにより、前記突起部（２a）の先端が部材（Ａ）の塗膜を突き破り、部材（Ａ）との間で電気的に導通可能な状態となるようにしたことを特徴とするナット。
【請求項２】
タップ穴（１）の開口を挟んで設けられる１対の突起部（２a）を有することを特徴とする請求項１に記載のナット。
【請求項３】
突起部（２a）が尖った先端部を有することを特徴とする請求項１または２に記載のナット。
【請求項４】
挿通穴（３）を有し、該挿通穴（３）にネジを挿通させた状態で、ネジの頭部と塗装を施した部材（Ａ）との間に介装される金具であって、
挿通穴（３）が開口した一方の面に突起部（２b）を有し、該突起部（２b）を有する面を部材（Ａ）に対向させた状態で、ネジの頭部と部材（Ａ）間で締め付けることにより、前記突起部（２b）の先端が部材（Ａ）の塗膜を突き破り、部材（Ａ）との間で電気的に導通可能な状態となるようにしたことを特徴とする導通用金具。
【請求項５】
挿通穴（３）の開口を挟んで設けられる１対の突起部（２b）を有することを特徴とする請求項４に記載の導通用金具。
【請求項６】
突起部（２b）が尖った先端部を有することを特徴とする請求項４または５に記載の導通用金具。
【発明の詳細な説明】
【技術分野】
【０００１】
本発明は、塗装を施した部材に用いられるナットおよび導通用金具に関するものである。塗装を施した部材とは、例えば、各種の機器類を搭載するラックの構成部材やラックに取り付けられるマウントレールなどである。
【背景技術】
【０００２】
例えば、ラックに搭載された機器類について、ラック自体やマウントレールに対してアースをとる必要が生じる場合ある。しかし、一般にラックやマウントレールは塗装材で構成されるため、アース線を電気的に導通させることができず、アースをとることができない。また、ラックの構成部材やマウントレールに電気的な導通を持たせるには、それらにメッキや導電塗装を施す必要があり、材料コストが増加する問題がある。
【０００３】
特許文献１には、塗装されたフレーム材に取り付けられるアースターミナルにおいて、これを構成するナット部材のフレーム材と接する面に切削刃を設け、ナット部材を締め付けた際に切削刃でフレーム材の塗膜を掻き落とし（塗膜の切削除去）、アースターミナルとフレーム材との間の電気的な導通を確保するようにした構造が示されている。また、特許文献２には、アースコネクタが切削刃を有するリングを備え、ナットの締め付けによってリングの切削刃が取付壁の塗膜を掻き落とし（塗膜の切削除去）、アースコネクタと取付壁との間の電気的な導通を確保するようにした構造が示されている。
【先行技術文献】
【特許文献】
【０００４】
【特許文献１】特開２０１０−４９８４８号公報
【特許文献２】特開平１１−９７０８３号公報
【発明の概要】
【発明が解決しようとする課題】
【０００５】
しかし、特許文献１，２のように切削刃によって塗膜を掻き落とす方式では、塗膜屑が発生するため、サーバや通信機器などの精密機器を搭載するラックには適用できない。また、ナットは回転しないため、ナットに切削刃を付けても全く意味がない。
したがって本発明の目的は、以上のような従来技術の課題を解決し、塗装された部材に取り付けられるナットや金具であって、塗膜屑を発生させることなく、塗装された部材との間の電気的な導通を確保することが可能なナットおよび導通用金具を提供することにある。
【課題を解決するための手段】
【０００６】
上記課題を解決するための本発明の要旨は以下のとおりである。
［1］塗装を施した部材（Ａ）に設けられた取付穴または取付溝に挿通されるネジに装着されるナットであって、
タップ穴（１）が開口した少なくとも一方の面に突起部（２a）を有し、該突起部（２a）を有する面を部材（Ａ）に対向させた状態で、タップ穴（１）にネジを締め込むことにより、前記突起部（２a）の先端が部材（Ａ）の塗膜を突き破り、部材（Ａ）との間で電気的に導通可能な状態となるようにしたことを特徴とするナット。
［2］上記［1］のナットにおいて、タップ穴（１）の開口を挟んで設けられる１対の突起部（２a）を有することを特徴とするナット。
［3］上記［1］または［2］のナットにおいて、突起部（２a）が尖った先端部を有することを特徴とするナット。
【０００７】
［4］挿通穴（３）を有し、該挿通穴（３）にネジを挿通させた状態で、ネジの頭部と塗装を施した部材（Ａ）との間に介装される金具であって、
挿通穴（３）が開口した一方の面に突起部（２b）を有し、該突起部（２b）を有する面を部材（Ａ）に対向させた状態で、ネジの頭部と部材（Ａ）間で締め付けることにより、前記突起部（２b）の先端が部材（Ａ）の塗膜を突き破り、部材（Ａ）との間で電気的に導通可能な状態となるようにしたことを特徴とする導通用金具。
［5］上記［4］の導通用金具において、挿通穴（３）の開口を挟んで設けられる１対の突起部（２b）を有することを特徴とする導通用金具。
［6］上記［4］または［5］の導通用金具において、突起部（２b）が尖った先端部を有することを特徴とする導通用金具。
【発明の効果】
【０００８】
本発明のナットは、突起部（２a）を有する面を塗装された部材（Ａ）に対向させた状態で、タップ穴（１）にネジを締め込むことで突起部（２a）の先端が部材（Ａ）の塗膜を突き破り、ナットと部材（Ａ）が電気的に導通可能な状態となるので、塗膜屑を発生させることなく、塗装された部材（Ａ）と機器類との電気的な導通をナットを介して確保することができる。
【０００９】
また、本発明の導通用金具は、突起部（２b）を有する面を塗装された部材（Ａ）に対向させた状態で、部材（Ａ）に設けられたタップ穴にネジを締め込むことなどによって、ネジの頭部と部材（Ａ）間で締め付けることにより、突起部（２b）の先端が部材（Ａ）の塗膜を突き破り、導通用金具と部材（Ａ）が電気的に導通可能な状態となるので、塗膜屑を発生させることなく、塗装された部材（Ａ）と機器類との電気的な導通を導通用金具を介して確保することができる。
【図面の簡単な説明】
【００１０】
【図１】本発明のナットの一実施形態を示す正面図
【図２】図１の実施形態のナットの側面図
【図３】図１のIII-III線に沿う断面図
【図４】図１の実施形態のナットｘを部材Ａに取り付ける状況を示す斜視図
【図５】図４により部材Ａに取り付けられたナットｘを示す側面図
【図６】本発明のナットの他の実施形態を示す斜視図
【図７】本発明の導通用金具の一実施形態を示す正面図
【図８】図７の実施形態の導通用金具の側面図
【図９】図７のIX-IX線に沿う断面図
【図１０】図７の実施形態の導通用金具ｙを部材Ａに取り付ける状況を示す斜視図
【図１１】図１０により部材Ａに取り付けられた導通用金具ｙを示す側面図
【発明を実施するための形態】
【００１１】
まず、本発明のナットについて説明する。
図１〜図５は、本発明のナットの一実施形態を示すもので、図１はナットの正面図、図２は同じく側面図、図３は図１のIII-III線に沿う断面図である。また、図４はナットｘを部材Ａに取り付ける状況を示す斜視図、図５は、図４により部材Ａに取り付けられたナットｘを示す側面図である。
本発明のナットｘは、塗装を施した部材Ａに設けられた取付穴または取付溝に挿通されるネジに装着されるナットである。本実施形態では、中央にタップ穴１（ネジ穴）が形成された平面四角形状の板ナットであり、鋼などの金属材で構成されている。
【００１２】
ナットｘのタップ穴１が開口した少なくとも一方の面に、突起部２aが設けられている。本実施形態では、タップ穴１の開口を挟んだ１８０°の位置関係で１対の突起部２aが設けられている。
突起部２aは、部材Ａに圧接された際に部材Ａの塗膜を突き破ることができるようにするため、尖塔状または刃物状に尖った先端部を有している。突起部２aの高さは、ナットｘを部材Ａに圧接させるのに支障とならず、且つナットｘにネジを締め込んだ際に、部材Ａの塗膜を突き破ることが可能な高さとする。
【００１３】
以上のようなナットｘは、例えば、図４および図５に示すように使用される。アース線６が接続されたワッシャ５をネジ４のネジ軸４０に装着し、このネジ４を部材Ａに形成された取付穴７（または取付溝）に取り付ける。本発明のナットｘを、突起部２aを有する面を部材Ａに対向させた状態で、取付穴７から突き出たネジ４のネジ軸４０に螺装し、ネジ４をナットｘに締め込む。このネジ４の締め込みにより、ナットｘの突起部２aの先端が部材Ａに圧接され、これにより突起部２aの先端が部材Ａの塗膜を突き破り、金属素地と接触する。この結果、部材Ａとナットｘとが電気的に導通可能な状態となり、ナットｘとワッシャ５はネジ４を介して電気的に導通可能な状態にあるので、ワッシャ５と部材Ａが、ナットｘおよびネジ４を介して電気的に導通可能な状態となる。ここで、突起部２aの先端は部材Ａに圧接して塗膜を突き破るだけであるため、塗膜屑は殆ど生じない。なお、突起部２aの先端は部材Ａに圧接されることで変形してもよい。
【００１４】
ナット本体の構成は、本実施形態に限定されるものではなく、種々の形態を採ることができる。また、突起部２aの数や設ける位置等に特別な制限はなく、要は、部材Ａの塗膜を突き破って部材Ａの金属素地との電気的な導通が確保できるような突起部であればよい。
また、ナットの使用形態も図４および図５の形態に限定されるものではなく、例えば、アース線付きのワッシャなどを使用せず、ナット自体やネジを通じてアースをとるようにしてもよい。
なお、ナットｘの装着時にナットｘを部材Ａに仮止め（係止）するために、例えば、図６に示すように突起部２aが形成されたナット面に粘着層８を設けてもよい。
【００１５】
次に、本発明の導通用金具について説明する。
図７〜図１１は、本発明の導通用金具の一実施形態を示すもので、図７は導通用金具の正面図、図８は同じく側面図、図９は図７のIX-IX線に沿う断面図である。また、図１０は導通用金具ｙを部材Ａに取り付ける状況を示す斜視図、図１１は、図１０により部材Ａに取り付けられた導通用金具ｙを示す側面図である。
本発明の導通用金具ｙは、挿通穴３を有し、この挿通穴３にネジを挿通させた状態で、ネジの頭部と塗装を施した部材Ａとの間に介装される金具である。本実施形態では、中央に挿通穴３が形成された平面四角形状の平板であり、鋼などの金属材で構成されている。
【００１６】
導通用金具ｙの挿通穴３が開口した少なくとも一方の面に、突起部２bが設けられている。本実施形態では、挿通穴３の開口を挟んだ１８０°の位置関係で１対の突起部２bが設けられている。
突起部２bは、部材Ａに圧接された際に部材Ａの塗膜を突き破ることができるようにするため、尖塔状または刃物状に尖った先端部を有している。突起部２bの高さは、導通用金具ｙを部材Ａに圧接させるのに支障とならず、且つネジの頭部と部材Ａ間で締め付けられた際に、部材Ａの塗膜を突き破ることが可能な高さとする。
【００１７】
以上のような導通用金具ｙは、例えば、図１０および図１１に示すように使用される。ネジ４のネジ軸４０に対して、アース線６が接続されたワッシャ５を装着し、さらに導通用金具ｙを、突起部２bを有する面を部材Ａに対向させた状態で装着する。ネジ４を部材Ａに設けられたタップ穴９に螺装し、締め込むことによって、導通用金具ｙがネジ４の頭部と部材Ａ間で締め付けされる。これにより導通用金具ｙの突起部２bの先端が部材Ａに圧接され、突起部２bの先端が部材Ａの塗膜を突き破り、金属素地と接触する。この結果、部材Ａと導通用金具ｙとが電気的に導通可能な状態となり、導通用金具ｙとワッシャ５は接しているので、部材Ａとワッシャ５が導通用金具ｙを介して電気的に導通可能な状態となる。ここで、突起部２bの先端は部材Ａに圧接して塗膜を突き破るだけであるため、塗膜屑は殆ど生じない。なお、突起部２bの先端は部材Ａに圧接されることで変形してもよい。
【００１８】
導通用金具自体の構成は、本実施形態に限定されるものではなく、種々の形態を採ることができる。また、突起部２bの数や設ける位置等に特別な制限はなく、要は、部材Ａの塗膜を突き破って部材Ａの金属素地との電気的な導通が確保できるような突起部であればよい。
また、導通用金具の使用形態も図１０および図１１の形態に限定されるものではなく、例えば、アース線付きのワッシャなどを使用せず、導通用金具自体やネジを通じてアースをとるようにしてもよい。また、部材Ａにタップ穴ではなく、ネジの取付穴または取付溝を形成して、これにネジのネジ軸を挿通させ、部材Ａから突き出たネジ軸にナットを装着して締め込むようにしてもよい。
なお、本発明のナットおよび導通用金具が適用される「塗装を施した部材」としては、各種の機器類を搭載するラックの構成部材やラックに取り付けられるマウントレールなどが代表的なものであるが、これに限らず種々の部材に適用することができる。
【符号の説明】
【００１９】
１  タップ穴
２a，２b  突起部
３  挿通穴
４  ネジ
５  ワッシャ
６  アース線
７  取付穴
８  粘着層
９  タップ穴
４０  ネジ軸
ｘ  ナット
ｙ  導通用金具
Ａ  部材
【図１】
2012052631.tif 000003
【図２】
2012052631.tif 000004
【図３】
2012052631.tif 000005
【図４】
2012052631.tif 000006
【図５】
2012052631.tif 000007
【図６】
2012052631.tif 000008
【図７】
2012052631.tif 000009
【図８】
2012052631.tif 000010
【図９】
2012052631.tif 000011
【図１０】
2012052631.tif 000012
【図１１】
2012052631.tif 000013